(57)【要約】【課題】  身元確認の手がかりとなる身元証明グッズを容易に提供可能な身元証明グッズ提供システム及び身元証明グッズ提供方法を得る。【解決手段】  利用者の国識別記号及びパスポート番号を含むパスポート情報が入力される入力装置と、この入力装置を介して入力したパスポート情報に基づき固有のグローバルＩＤを発行するＩＤ発行装置と、このＩＤ発行装置からグローバルＩＤが発行されたときに、該グローバルＩＤをグッズ基材に印して身元証明グッズを製作するＩＤ付加装置とを備え、グローバルＩＤの印された身元証明グッズを利用者に提供する。【選択図】  図３
2006215972.tif 000002
【特許請求の範囲】
【請求項１】
利用者の国識別記号及びパスポート番号を含むパスポート情報が入力される入力装置と、
この入力装置を介して入力したパスポート情報に基づき固有のグローバルＩＤを発行するＩＤ発行装置と、
このＩＤ発行装置からグローバルＩＤが発行されたときに、該グローバルＩＤをグッズ基材に印して身元証明グッズを製作するＩＤ付加装置と、
を備えたことを特徴とする身元証明グッズ提供システム。
【請求項２】
請求項１記載の身元証明グッズ提供システムにおいて、国識別記号及びパスポート番号とグローバルＩＤとを同一にした身元証明グッズ提供システム。
【請求項３】
請求項１または２記載の身元証明グッズ提供システムにおいて、前記入力装置は、利用者のパスポート面を電子画像化する画像読取装置に接続されていて、この画像読取装置による画像から前記パスポート情報を入力する身元証明グッズ提供システム。
【請求項４】
請求項１または２記載の身元証明グッズ提供システムにおいて、前記入力装置は、利用者が通信端末から入力した前記パスポート情報を電気通信回線を介して入力する身元証明グッズ提供システム。
【請求項５】
請求項１ないし４のいずれか一項に記載の身元証明グッズ提供システムにおいて、利用者に提供される身元証明グッズは、前記ＩＤ付加装置によって前記グローバルＩＤが刻印された金属材料、石材、高融点セラミック材料または樹脂材料からなるアクセサリーである身元証明グッズ提供システム。
【請求項６】
請求項１ないし４のいずれか一項に記載の身元証明グッズ提供システムにおいて、利用者に提供される身元証明グッズは、前記ＩＤ付加装置によって前記グローバルＩＤが印刷または刺繍された下着または水着である身元証明グッズ提供システム。
【請求項７】
請求項１ないし４のいずれか一項に記載の身元証明グッズ提供システムにおいて、利用者に提供される身元証明グッズは、前記ＩＤ付加装置によって前記グローバルＩＤが印刷された剥離紙付き粘着テープである身元証明グッズ提供システム。
【請求項８】
請求項３ないし７のいずれか一項に記載の身元証明グッズ提供システムにおいて、さらに、前記入力装置を介して入力された国識別記号及びパスポート番号と前記ＩＤ発行装置が発行したグローバル番号とを関連付けて記録管理するデータベースを備えている身元証明グッズ提供システム。
【請求項９】
請求項８記載の身元証明グッズ提供システムにおいて、前記データベースは、前記入力装置及び前記ＩＤ発行装置と電気通信回線を介して接続されている身元証明グッズ提供システム。
【請求項１０】
利用者の国識別記号及びパスポート番号を含むパスポート情報が入力装置を介してＩＤ発行装置に入力されるステップ；
前記ＩＤ発行装置が入力したパスポート情報に基づき固有のグローバルＩＤを生成するステップ；
前記ＩＤ付加装置がグローバルＩＤ情報をＩＤ付加装置に送信するステップ；及び
前記ＩＤ付加装置が前記グローバルＩＤをグッズ基材に付加するステップ；
を有することを特徴とする身元証明グッズ提供方法。
【請求項１１】
請求項１０記載の身元証明グッズ提供方法において、前記パスポート情報が入力されるステップでは、前記入力装置がパスポート面を撮像またはスキャンすることにより国識別記号及びパスポート番号を含むパスポート情報を読み取って前記ＩＤ発行装置に入力する身元証明グッズ提供方法。
【請求項１２】
請求項１０記載の身元証明グッズ提供方法において、前記パスポート情報が入力されるステップは、電気通信回線を介して実行される身元証明グッズ提供方法。
【請求項１３】
請求項１０ないし１２のいずれか一項に記載の身元証明グッズ提供方法において、前記ＩＤ付加装置は、印刷、刻印または刺繍により、前記グローバルＩＤをグッズ基材に印す身元証明グッズ提供方法。
【発明の詳細な説明】
【技術分野】
【０００１】
本発明は、パスポート情報を利用した身元証明グッズ提供システム及び身元証明グッズ提供方法に関する。
【背景技術】
【０００２】
近年では、経済のグローバル化により海外赴任や海外出張の機会が増加しているほか、生活レベルの向上により海外旅行を楽しむ人が増えており、年間１５００万人を超える人々が日本から海外へ渡航している。渡航先では、犯罪や疫病、テロ、紛争等の発生している危険な地域もあり、安全な地域であってもいつ何時、事件や事故、災害等に遭遇するとも限らない。海外渡航者に限らず、国内旅行者や災害（地震、噴火、洪水、津波等）の多いまたは可能性の高い国や地域に居住または活動する人、危険地域（戦場や紛争地域）に居住または活動する人、レジャー場（海、山、スキー場）に訪れる又は活動する人も、同様の危険と隣り合わせにある。
【０００３】
万が一事故や災害等により死亡した場合、意識不明の重傷を負った場合、行方不明になった場合及び問い合わせに応答できない子供（小児・乳児）やお年寄りの場合には、身元確認が必要とされる。人の身元確認は、通常は対面や写真により行なわれるが、水死や焼死のように容姿による判別が不可能な場合には指紋鑑定、歯形鑑定、毛髪等を用いたＤＮＡ鑑定等が行なわれている。
【発明の開示】
【発明が解決しようとする課題】
【０００４】
しかしながら、指紋鑑定では警察等に指紋が登録されている人の数はごくわずかで照合できないことのほうが多く、歯型鑑定では身元確認したい人に顕著な特徴が存在している場合にしか有効でない。またＤＮＡ鑑定では、身元確認したい人のＤＮＡサンプルが存在していないと実施できず、鑑定結果がでるまでに長時間を要してしまうというデメリットもある。
【０００５】
自然災害、戦争、火災、犯罪等による死者が増える一方の昨今、各国そして犠牲者の身内がその身元確認に苦慮して大変な経済的また精神的負担となっている。
【０００６】
本発明は、上記課題に鑑みてなされたもので、身元確認の手がかりとなる身元証明グッズを容易に提供可能な身元証明グッズ提供システム及び身元証明グッズ提供方法を得ることを目的としている。
【課題を解決するための手段】
【０００７】
本発明は、国識別記号とパスポート番号の組み合わせが１個人に対して与えられる世界中で固有のグローバルＩＤであることに着目し、このグローバルＩＤを付した身元証明グッズを提供するものである。
【０００８】
すなわち、本発明の身元証明グッズ提供システムは、利用者の国識別記号及びパスポート番号を含むパスポート情報が入力される入力装置と、この入力装置を介して入力したパスポート情報に基づき固有のグローバルＩＤを発行するＩＤ発行装置と、このＩＤ発行装置からグローバルＩＤが発行されたときに、該グローバルＩＤをグッズ基材に印して身元証明グッズを製作するＩＤ付加装置とを備えたことを特徴としている。
【０００９】
国識別記号及びパスポート番号とグローバルＩＤは、同一にすることが好ましい。国識別記号及びパスポート番号の組み合わせは１個人に対して与えられる世界中で固有の識別番号であるから、これをグローバルＩＤとして用いることが最も単純且つ明快であり、容易に身元確認がとれる。グローバルＩＤは、国識別記号及びパスポート番号をバーコードや２次元コード等の汎用コード化したものであってもよい。ただし、グローバルＩＤが国識別記号及びパスポート番号と同一である場合にはパスポート番号を悪用されるおそれがあり、これを回避するには、国識別記号及びパスポート番号を暗号化してグローバルＩＤを生成することが好ましい。
【００１０】
入力装置は、利用者のパスポート面を電子画像化する画像読取装置に接続されていて、この画像読取装置による画像からパスポート情報を入力するか、あるいは、利用者が通信端末から入力したパスポート情報を電気通信回線を介して入力することが実際的である。
【００１１】
利用者に提供される身元証明グッズは、例えば、ＩＤ付加装置によって前記グローバルＩＤが刻印された金属材料、石材または高融点セラミック材料からなるアクセサリー、ＩＤ付加装置によってグローバルＩＤが印刷または刺繍された下着または水着、ＩＤ付加装置によってグローバルＩＤが印刷された剥離紙付き粘着テープ等が挙げられる。
【００１２】
上記システムは、入力装置を介して入力された国識別記号及びパスポート番号とＩＤ発行装置が発行したグローバル番号とを関連付けて記録管理するデータベースを備えていることが好ましい。グローバルＩＤが暗号化されている場合には、身元証明グッズに印されたグローバルＩＤを確認した後、このデータベースを参照することで利用者の国識別記号及びパスポート番号を検知することが可能である。データベースは、入力装置及びＩＤ発行装置と電気通信回線を介して接続されていることが好ましい。この態様によれば、世界中の如何なる国・場所でもデータベースを参照することができる。
【００１３】
また本発明は、方法の態様によれば、利用者の国識別記号及びパスポート番号を含むパスポート情報が入力装置を介してＩＤ発行装置に入力されるステップ；ＩＤ発行装置が入力したパスポート情報に基づき固有のグローバルＩＤを生成するステップ；ＩＤ付加装置がグローバルＩＤ情報をＩＤ付加装置に送信するステップ；及びＩＤ付加装置がグローバルＩＤをグッズ基材に付加するステップ；を有することを特徴としている。
【００１４】
パスポート情報が入力されるステップでは、入力装置がパスポート面を撮像またはスキャンすることにより国識別記号及びパスポート番号を含むパスポート情報を読み取ってＩＤ発行装置に入力するか、あるいは、電気通信回線を介して実行されることが実際的である。
【００１５】
ＩＤ付加装置は、印刷、刻印または刺繍により、グローバルＩＤをグッズ基材に印すことができる。
【発明の効果】
【００１６】
本発明によれば、身元確認の手がかりとなる身元証明グッズを容易に提供可能な身元証明グッズ提供システム及び身元証明グッズ提供方法を得ることができる。
【発明を実施するための最良の形態】
【００１７】
図１は、本発明の一実施形態による身元証明グッズ提供システムを構成するシステム構成図である。本システムは、国識別記号及びパスポート番号を含むパスポート情報を利用した身元証明グッズを提供するものであり、利用者のパスポート情報が入力される入力装置１０と、パスポート情報に基づく固有のグローバルＩＤを発行するＩＤ発行装置２０と、グッズ基材にグローバルＩＤを付加するＩＤ付加装置３０とにより構成されている。
【００１８】
入力装置１０は、装置全体を制御する入力制御部１１と、この入力制御部１１に接続された読取部１２と選択部１３とを備えている。この入力装置１０には、図示されていないがパスポートを載せるための台座が設けられており、利用者は、国識別記号及びパスポート番号が記載されている面を読取部１２と対向させてパスポートを台座に設置することにより、利用者のパスポート情報を入力することができる。読取部１２には、カメラ１２ａ、スキャナ１２ｂ、及びバーコードリーダ１２ｃの少なくとも１つが備えられ、必要に応じて使い分けられる。カメラ１２ａは、国識別記号及びパスポート番号が記載されたパスポート面全体を電子画像化し、この電子画像信号を入力制御部１１に出力する。スキャナ１２ｂは、国識別記号及びパスポート番号が記載されたパスポート面を走査し、対応する電気信号を入力制御部１１に出力する。バーコードリーダー１２ｃは、将来的に国識別記号及びパスポート番号がバーコード表記されることを想定して備えられたもので、パスポート面にバーコード表記された国識別記号及びパスポート番号を読み取って入力制御部１１に出力する。このバーコードリーダー１２ｃは備えなくてもよい。入力制御部１１は、カメラ１２ａによる電子画像信号またはスキャナ１２ｂによる走査信号を入力したときは、該電子画像信号または走査信号からパスポート番号を取得してＩＤ発行装置２０へ出力する。一方、バーコードリーダー１２ｃによる読取信号を入力したときは、該読取信号をそのままＩＤ発行装置２０を出力する。選択部１３は、利用者が異なる数種類の身分証明グッズから所望するものを選択するための選択部材である。入力制御部１１は、選択部１３によって選択されたグッズ情報をＩＤ付加装置３０へ出力する。
【００１９】
ＩＤ発行装置２０は、装置全体を制御する制御部２１と、制御部２１に各々接続されたＩＤ生成部２２とデータベース２３とを備えている。ＩＤ生成部２２は、一定の規則に基づいて国識別記号及びパスポート番号の組み合わせからグローバルＩＤを生成する。このグローバルＩＤは、国識別記号及びパスポート番号そのものであってもバーコードや２次元コード等の汎用コードであってもよく、また、本システム独自の規則に基づいて暗号化したＩＤコードを用いてもよい。ただし、グローバルＩＤが国識別記号及びパスポート番号そのものである場合や対応読取装置によって読取可能な汎用コードである場合には、パスポート番号が悪用されるおそれがあるので、本システム独自の規則に基づいて暗号化したＩＤコードをグローバルＩＤとすることが望ましい。データベース２３は、国識別記号及びパスポート番号と該国識別記号及びパスポート番号から生成したグローバルＩＤとを関連付けて記録管理する。このデータベース２３は、グローバルＩＤの解読が不要な場合（グローバルＩＤが汎用コードやパスポート番号自体である場合）には備えなくてもよい。ＩＤ生成部２２が生成したグローバルＩＤは、制御部２１を介してＩＤ付加装置３０へ出力される。
【００２０】
ＩＤ付加装置３０は、装置全体を制御する制御部３１と、この制御部３１に接続された刻印機３２とプリンタ３３と刺繍機３４とを備えている。刻印機３２は、例えば半導体レーザを用いたレーザ刻印機であり、金属製、石製及び高融点セラミック製のグッズ基材に対してグローバルＩＤを刻印する。プリンタ３３は、布製及び紙製のグッズ基材に対してグローバルＩＤを印刷するもので、例えば半導体レーザを用いたレーザープリンタを使用することができる。刺繍機３４は、布製のグッズ基材に対してグローバルＩＤを刺繍する。制御部３１は、入力装置１０から入力したグッズ情報に基づいて、グッズ基材を選択すると共に、刻印機３２、プリンタ３３及び刺繍機３４のいずれかを動作させる。
【００２１】
次に、上記システムによる身元証明提供方法について、図２のフローチャートを参照して説明する。利用者は、パスポートを入力装置１０のパスポート台座（不図示）に設置して所望の身元証明グッズを選択することにより（Ｓ１、Ｓ２）、選択した身元証明グッズが得られる（Ｓ３）。
【００２２】
先ず、入力装置１０の入力制御部１１が、利用者のパスポートが入力装置１０のパスポート台座（不図示）に設置されているか否か、及び、選択部１３を介して利用者の所望する身元証明グッズが選択されているか否かをチェックする（Ｓ１１、Ｓ１２）。パスポートが設置されていない場合（Ｓ１１；Ｎ）及びパスポートが設置されていても所望する身元証明グッズが選択されていない場合（Ｓ１１；Ｙ、Ｓ１２；Ｎ）は、そのまま待機状態となる。そして、パスポートが設置されていて所望する身元証明グッズも選択されると（Ｓ１１；Ｙ、Ｓ１２；Ｙ）、入力制御部１１がグッズ選択情報をＩＤ付加装置３０へ出力する（Ｓ１３）。続いて入力制御部１１は、読取部１２（カメラ１２ａ、スキャナ１２ｂ及びバーコードリーダ１２ｃのいずれか）を起動させ、国識別記号及びパスポート番号の記載されたパスポート面を撮像またはスキャンさせて国識別記号及びパスポート番号を読み取る（Ｓ１４）。そして、国識別記号及びパスポート番号の読み取りが適正に行われたか否かを例えば桁数等でチェックし（Ｓ１５）、適正でなければ国識別記号及びパスポート番号の読取動作を再実行する（Ｓ１５；Ｎ）。国識別記号及びパスポート番号の読み取りが適正であった場合には、入力制御部１１はパスポート番号情報をＩＤ発行装置２０へ出力する（Ｓ１７）。
【００２３】
入力装置１０（入力制御部１１）から出力された国識別記号及びパスポート番号情報は、ＩＤ発行装置２０の制御部２１に入力される（Ｓ２１）。制御部２１は、国識別記号及びパスポート番号情報を入力すると、該国識別記号とパスポート番号の組み合わせに１対１で対応するグローバルＩＤをＩＤ生成部２２で生成させ（Ｓ２２）、入力した国識別記号及びパスポート番号とＩＤ生成部２２に生成させたグローバルＩＤとを関連付けてデータベース２３に記憶して（Ｓ２３）、グローバルＩＤ情報をＩＤ付加装置３０へ出力する（Ｓ２４）。
【００２４】
ＩＤ付加装置３０は、入力装置１０からグッズ選択情報が出力されると、制御部３１がグッズ選択情報を入力し（Ｓ３１）、該入力したグッズ選択情報に基づいてグッズ基材と該グッズ基材に対してグローバルＩＤを付加するための装置とを選択する（Ｓ３２）。ここで、グッズ基材は、金属材料、石材、高融点セラミック材料、樹脂材料、布または紙などからなるもので、より具体的な例を挙げれば、金属製、石製、高融点セラミック製または樹脂製のアクセサリー類、衣類、剥離紙付き粘着テープ（ラベルシール）等がある。そして制御部３１は、ＩＤ発行装置２０（制御部２１）からグローバルＩＤ情報を入力したら（Ｓ３３）、Ｓ３２で選択した装置（刻印機３２、プリンタ３３、刺繍機３４のいずれか）を起動してグローバルＩＤを同じくＳ３２で選択したグッズ機材に対して付加させる（Ｓ３４）。このグローバルＩＤの印されたグッズ基材が、身元証明グッズとして利用者に提供される。
【００２５】
図３〜図５は、本システムにより提供される身元証明グッズの一例を示している。身元証明グッズは、利用者が肌身離さず付けていられるものがよい。例えば、図３に示すようなグローバルＩＤ１００を刻印したアクセサリー類１０１、図４に示すようなグローバルＩＤ１００を刺繍またはプリントした衣類１０２、図５に示すようなグローバルＩＤ１００をプリントした剥離紙付きグローバルＩＤシール１０３がよい。
【００２６】
身元証明グッズとなるアクセサリー類は、上述したように金属製、石製、高融点セラミック製または樹脂製とし、図３に示す指輪の他にもネックレス、ペンダントヘッド、ブレスレッド、アンクレット、ピアス（ボディピアス）、携帯ストラップ等が挙げられる。この態様によるアクセサリーは、耐熱性及び耐水性に優れ、水害や火災に遭遇した場合でもグローバルＩＤ１００が消えることがなく身元確認が可能である。
【００２７】
身元証明グッズとなる衣類としては、図４に示すアンダーパンツのほかにもアンダーシャツ、靴下、水着等が挙げられる。グローバルＩＤ１００をプリントまたは刺繍する位置は、任意であり、アンダーパンツや靴下であれば例えば図４に示すように履き口としてもよい。アンダーシャツであれば襟口や袖口、裾周りとしてもよい。この衣類は、利用者から外れる可能性が低く、火災以外の場合で身元確認が可能である。
【００２８】
図５に示すような剥離紙付きグローバルＩＤシール１０３は、火災以外の場合で身元確認が可能であり、利用者が任意の物・場所に付加することができる。このグローバルＩＤシール１０３は、利用者自身の体に直接貼り付けるか、あるいは靴や時計、衣服等の利用者が常時身に着けている物の、なるべく剥がれにくい位置に貼ることが好ましい。図６は、グローバルＩＤシール１０３を、利用者自身の爪の表面に貼り付けた様子を示している。このシール類としては、粘着力が高いものが好ましく、布にも接着可能であるとよい。また、耐水性を高めるために、撥水加工されているシールであるとより好ましい。
【００２９】
上記身元証明グッズを装着した人が、死亡した場合、問い合わせに応答できない重傷者や病人、子供（小児・乳児）、老人である場合には、身元証明グッズに印されたグローバルＩＤにより身元確認を行なうことができる。このとき、グローバルＩＤがパスポート番号そのものであれば、グローバルＩＤを政府機関等に問い合わせることで容易に身元確認がとれる。グローバルＩＤがバーコードや二次元コード等の汎用コードである場合には、該グローバルＩＤを対応読取装置によって読み取ることでパスポート番号が判明し、パスポート番号による身元確認が容易に可能である。グローバルＩＤが本システム独自のＩＤコードである場合には、ＩＤ発行装置２０のデータベース２３から、身元証明グッズに印されたグローバルＩＤに対応するパスポート番号情報を得ることができ、パスポート番号による身元確認が容易に可能である。
【００３０】
以上に説明した身元証明グッズ提供システムは、主に海外渡航者、国内旅行者、災害（地震、津波、洪水、噴火等）の多いまたは可能性の高い国や地域に居住または活動する人、危険地域（戦場、紛争地域等）に居住または活動する人、及びレジャー場（海、山、スキー場等）に訪れる人または活動する人等が提供対象となる。例えば、提供対象が海外渡航者である場合には、本身元証明グッズ提供システムを空港に設置し、身元証明グッズの必要性を感じる利用者（海外渡航者）に対してフライト待ち時間中の短時間で身元証明グッズを提供することが可能である。
【００３１】
本実施形態では、入力装置１０の読取部１２がパスポート面を直接読み取って国識別記号及びパスポート番号を入力しているが、入力装置１０は、利用者がパソコンや携帯電話等の通信端末から入力した国識別記号及びパスポート番号を、インターネットやＩＳＤＮ等の電気通信回線を介して入力する態様としてもよい。この電気通信回線を介する態様では、本システムが設置されている場所まで利用者が行かなくても身元証明グッズを利用者に提供することができる。また将来的には国識別記号及びパスポート番号がコード表記されたり、パスポート自体に国識別記号及びパスポート番号を記録した磁気データが組み込まれる可能性があるので、これに対応できるように、入力装置には、コード表記を読み取るコード読取装置や磁気データを読み取る磁気データ読取装置を備えてもよい。
【００３２】
また本実施形態では、国識別記号及びパスポート番号とグローバルＩＤとを関連付けて記録管理するデータベース２３をＩＤ発行装置２０内に備えているが、この国識別記号及びパスポート番号とグローバルＩＤとの関連情報は、電気通信回線を介してＩＤ発行装置２０と接続可能な中央データベースに保存する構成であってもよい。中央データベースを備える態様では、世界中の如何なる国・場所でもデータベースを参照することができ、グローバルＩＤを確認した後に、電気通信回線を介して中央データベースと接続し、該中央データベースに保存してある国識別記号及びパスポート番号情報を引き出すことができる。
【００３３】
本実施形態では、パスポート情報から一義的に決定される世界各国共通のグローバルＩＤを身元確認用ＩＤとして身元証明グッズに印しているが、身元確認用ＩＤとしては、各国または地域毎に固有のローカルＩＤを印してもよい。ローカルＩＤとしては、電話番号や自動車免許証番号などが利用可能である。
【図面の簡単な説明】
【００３４】
【図１】本発明の一実施形態による身元証明提供システムの構成を示すシステム構成図である。
【図２】本発明の一実施形態による身元証明提供方法（図１の身元証明提供システムの動作の流れ）を説明するフローチャートである。
【図３】本システムにより提供される身元証明グッズの一例、グローバルＩＤ付きの指輪を示す模式図である。
【図４】本システムにより提供される身元証明グッズの一例、グローバルＩＤ付きのアンダーパンツを示す模式図である。
【図５】本システムにより提供される身元証明グッズの一例、剥離紙付きグローバルＩＤシールを示す模式図である。
【図６】図５のグローバルＩＤシールを爪に貼った様子を説明する模式図である。
【符号の説明】
【００３５】
１０  入力装置
１１  入力制御部
１２  読取部
１３  選択部
２０  ＩＤ発行装置
２１  制御部
２２  ＩＤ生成部
２３  データベース
３０  ＩＤ付加装置
３１  制御部
３２  刻印機
３３  プリンタ
３４  刺繍機
１００  グローバルＩＤ
１０１  アクセサリー
１０２  下着
１０３  グローバルＩＤシール
【図１】
2006215972.tif 000003
【図２】
2006215972.tif 000004
【図３】
2006215972.tif 000005
【図４】
2006215972.tif 000006
【図５】
2006215972.tif 000007
【図６】
2006215972.tif 000008